(57)【特許請求の範囲】
【請求項１】
記録ディスクに記録され、再生可能なオーディオデータに関連するテキストシンボルを表示するテキスト表示方法において、
複数のテキストシンボルからなるフレーズを表し、各テキストシンボルを該フレーズ内の少なくとも最初のテキストシンボル、中間のテキストシンボル、最後のテキストシンボル、テキストシンボル間のスペースの内の１つとして示す開始／終了ビットと、該開始／終了ビットに続き、それぞれのテキストシンボルを表示のために特定するシンボル特定ビットとを含むテキストキャラクタをダウンロードするステップと、
上記ダウンロードされたテキストキャラクタの開始／終了ビット及びシンボル特定ビットに基づいて、上記テキストシンボルのフレーズを組み立てるステップと、
上記組み立てられたテキストシンボルのフレーズを表示するステップとを有するテキスト表示方法。
【請求項２】
上記表示するテキストシンボルは、カラオケ用の歌詞であることを特徴とする請求項１記載のテキスト表示方法。
【請求項３】
上記テキストシンボルのフレーズを組み立てるステップは、
上記ダウンロードされた各テキストキャラクタのシンボル特定ビットを用いて、表示する全てのテキストシンボルを予め記憶したリードオンリーメモリ内のアドレスを指定し、該シンボル特定ビットに対応するテキストシンボルを読み出すステップと、
上記読み出したテキストシンボルをランダムアクセスメモリに一時的に記憶するステップとを有することを特徴とする請求項１記載のテキスト表示方法。
【請求項４】
上記テキストキャラクタは、上記オーディオデータが記録された記録ディスクに記録されていることを特徴とする請求項３記載のテキスト表示方法。
【請求項５】
上記オーディオデータは、フレーム同期データと、同期制御データと、オーディオデータと、エラー訂正コードとを格納するフォーマットをそれぞれ有する複数のフレームからなるブロック内の複数のフレーム内に格納されており、上記テキストキャラクタは、該ブロック内の１つのフレームに、オーディオデータに代えて格納されていることを特徴とする請求項４記載のテキスト表示方法。
【請求項６】
上記テキストキャラクタが格納されているフレームのフレーム同期データは、上記オーディオデータが格納されているフレームのフレーム同期データとは異なることを特徴とする請求項５記載のテキスト表示方法。
【請求項７】
上記テキストキャラクタが格納されているフレームの同期制御データは、上記オーディオデータが格納されているフレームの同期制御データとは異なることを特徴とする請求項５記載のテキスト表示方法。
【請求項８】
上記テキストキャラクタが格納されているフレームは、上記記録ディスク上において、対応するオーディオデータが格納されているフレームよりも先に再生される位置に記録されていることを特徴とする請求項５記載のテキスト表示方法。
【請求項９】
上記オーディオデータは、フレーム同期データと、同期制御データと、オーディオデータと、エラー訂正コードとを格納するフォーマットをそれぞれ有する複数のフレームからなるブロック内の複数のフレーム内に格納されており、上記テキストキャラクタは、該ブロック内の同期制御データに分散されて格納されていることを特徴とする請求項４記載のテキスト表示方法。
【請求項１０】
上記同期制御データは、予め割り当てられたビットを有し、上記テキストキャラクタは、該予め割り当てられたビット以外のビットに格納されていることを特徴とする請求項９記載のテキスト表示方法。
【請求項１１】
上記テキストキャラクタは、上記オーディオデータが記録された記録ディスクとは異なる記録媒体に記録されていることを特徴とする請求項３記載のテキスト表示方法。
【請求項１２】
上記異なる記録媒体は、異なる記録ディスクであり、該異なる記録ディスクには、フレーム同期データと、同期制御データと、上記テキストキャラクタと、エラー訂正コードとを有するフレームが記録されており、該異なる記録ディスクから該テキストキャラクタをダウンロードすることを特徴とする請求項１１記載のテキスト表示方法。
【請求項１３】
上記オーディオデータが記録された記録ディスクから、表示中のフレーズを次のフレーズに切り換える信号を読み出すことを特徴とする請求項１２記載のテキスト表示方法。
【請求項１４】
上記記録媒体は、メモリを有する回路基板を備え、上記テキストキャラクタは、該メモリに記憶されており、上記ダウンロードされるテキストキャラクタは、該メモリからダウンロードされることを特徴とする請求項１１記載のテキスト表示方法。
【請求項１５】
上記オーディオデータが記録された記録ディスクから、表示中のフレーズを次のフレーズに切り換える信号を読み出すことを特徴とする請求項１４記載のテキスト表示方法。
【請求項１６】
記録ディスクに記録され、再生可能なオーディオデータに関連するテキストシンボルを表示するテキスト表示装置において、
複数のテキストシンボルからなるフレーズを表し、各テキストシンボルを該フレーズ内の少なくとも最初のテキストシンボル、中間のテキストシンボル、最後のテキストシンボル、テキストシンボル間のスペースの内の１つとして示す開始／終了ビットと、該開始／終了ビットに続き、それぞれのテキストシンボルを表示のために特定するシンボル特定ビットとを含むテキストキャラクタを再生する再生手段と、
上記再生されたテキストキャラクタの開始／終了ビット及びシンボル特定ビットに基づいて、上記テキストシンボルのフレーズを組み立てる組立手段と、
上記組み立てられたテキストシンボルのフレーズを表示する表示手段とを備えるテキスト表示装置。
【請求項１７】
上記表示するテキストシンボルは、カラオケ用の歌詞であることを特徴とする請求項１６記載のテキスト表示装置。
【請求項１８】
上記組立手段は、
表示する全てのテキストシンボルを予め記憶したリードオンリメモリと、
上記再生手段によって再生された各テキストキャラクタのシンボル特定ビットを用いて、上記リードオンリーメモリ内のアドレスを指定し、該シンボル特定ビットに対応するテキストシンボルを読み出すアドレス指定手段と、
上記読み出したテキストシンボルを一時的に記憶するランダムアクセスメモリとを備えることを特徴とする請求項１６記載のテキスト表示装置。
【請求項１９】
上記ランダムアクセスメモリには、上記テキストシンボルのフレーズが記憶されることを特徴とする請求項１８記載のテキスト表示装置。
【請求項２０】
上記テキストキャラクタは、上記オーディオデータが記録された記録ディスクに記録されていることを特徴とする請求項１８記載のテキスト表示装置。
【請求項２１】
上記オーディオデータは、フレーム同期データと、同期制御データと、オーディオデータと、エラー訂正コードとを格納するフォーマットをそれぞれ有する複数のフレームからなるブロック内の複数のフレーム内に格納されており、上記テキストキャラクタは、該ブロック内の１つのフレームに、オーディオデータに代えて格納されていることを特徴とする請求項２０記載のテキスト表示装置。
【請求項２２】
上記テキストキャラクタが格納されているフレームのフレーム同期データは、上記オーディオデータが格納されているフレームのフレーム同期データとは異なることを特徴とする請求項２１記載のテキスト表示装置。
【請求項２３】
上記テキストキャラクタが格納されているフレームの同期制御データは、上記オーディオデータが格納されているフレームの同期制御データとは異なることを特徴とする請求項２１記載のテキスト表示装置。
【請求項２４】
上記テキストキャラクタが格納されているフレームは、上記記録ディスク上において、対応するオーディオデータが格納されているフレームよりも先に再生される位置に記録されていることを特徴とする請求項２１記載のテキスト表示装置。
【請求項２５】
上記オーディオデータは、フレーム同期データと、同期制御データと、オーディオデータと、エラー訂正コードとを格納するフォーマットをそれぞれ有する複数のフレームからなるブロック内の複数のフレーム内に格納されており、上記テキストキャラクタは、該ブロック内の同期制御データに分散されて格納されていることを特徴とする請求項２０記載のテキスト表示装置。
【請求項２６】
上記同期制御データは、予め割り当てられたビットを有し、上記テキストキャラクタは、該予め割り当てられたビット以外のビットに格納されていることを特徴とする請求項２５記載のテキスト表示装置。
【請求項２７】
上記テキストキャラクタは、上記オーディオデータが記録された記録ディスクとは異なる記録媒体に記録されていることを特徴とする請求項１８記載のテキスト表示装置。
【請求項２８】
上記異なる記録媒体は、異なる記録ディスクであり、該異なる記録ディスクには、フレーム同期データと、同期制御データと、上記テキストキャラクタと、エラー訂正コードとを有するフレームが記録されており、該異なる記録ディスクから該テキストキャラクタをダウンロードすることを特徴とする請求項２７記載のテキスト表示装置。
【請求項２９】
上記ランダムアクセスメモリには、複数のフレーズが記憶され、上記オーディオデータが記録された記録ディスクには、フレーズ切換信号が記録されており、該オーディオデータが記録された記録ディスクから該オーディオデータ及びフレーズ切換信号を読み出す読出手段と、
上記読み出されたフレーズ切換信号に基づいて、上記表示手段に表示中のフレーズを上記ランダムアクセスメモリに記憶されている次のフレーズに切り換えて表示する切換手段とを更に備える請求項２８記載のテキスト表示装置。
【請求項３０】
上記記録媒体は、メモリを有する回路基板を備え、上記テキストキャラクタは、該メモリに記憶されており、上記再生手段は、該メモリから該テキストキャラクタを再生することを特徴とする請求項２７記載のテキスト表示装置。
【請求項３１】
上記ランダムアクセスメモリには、複数のフレーズが記憶され、上記オーディオデータが記録された記録ディスクには、フレーズ切換信号が記録されており、該オーディオデータが記録された記録ディスクから該オーディオデータ及びフレーズ切換信号を読み出す読出手段と、
上記読み出されたフレーズ切換信号に基づいて、上記表示手段に表示中のフレーズを上記ランダムアクセスメモリに記憶されている次のフレーズに切り換えて表示する切換手段とを更に備える請求項３０記載のテキスト表示装置。
【発明の詳細な説明】
【０００１】
【発明の属する技術分野】
本発明は、テキスト表示方法及びテキスト表示装置に関し、詳しくは、記録ディスクに記録されたオーディオデータを再生するとともに、関連するテキストシンボルを表示するテキスト表示方法及びテキスト表示装置に関する。
【０００２】
【従来の技術】
コンパクトディスク（以下、ＣＤという。）又はミニディスク（登録商標、以下、ＭＤという。）等の記録媒体に記録されているオーディオデータを再生するとともに、そのオーディオデータに関連付けて記録されたテキストシンボル等のテキスト情報を表示装置に表示することがある。
【０００３】
例えば、民生用の機器において、記録媒体に記録された曲を再生するとともに、予め記録されているその曲の歌詞を表示装置に表示し、ユーザが曲に合わせて歌を楽しめるものがある。このような機器はカラオケ装置として知られており、このカラオケ装置では、再生される伴奏とユーザの歌声とがミキシングされる。
【０００４】
また、この他にも、コンパクトディスクリードオンリメモリ（以下、ＣＤ−ＲＯＭという。）に記録されたオーディオ情報又はグラフィックス情報にテキストシンボルを関連付けて表示することが望まれる場合もある。このようなテキストシンボルとは、例えばデータに関する情報、ユーザへの指示、データの内容の要約、他言語への翻訳等である。
【０００５】
オーディオ用のＣＤの場合も、ＣＤ−ＲＯＭの場合も、データは、通常、所定のフォーマットに従って記録されており、これらのフォーマットは、テキストシンボルの表示に対応していない。例えば、オーディオ用のＣＤでは、デジタルオーディオデータが、同期情報、制御情報、オーディオ情報等からなる５８８ビットのフレームを単位として記録されている。
【０００６】
このフォーマットにおいて、各フレームは、フレームの開始を示すフレーム同期データと、それに続く同期制御データと、それに続いて交互に格納された右チャンネル及び左チャンネルのオーディオデータとから構成されている。片チャンネルのオーディオデータは、それぞれ８ビットバイトからなる２つのサンプルからなり、３つの左チャンネルサンプルと３つの右チャンネルサンプルがフレームの前半に多重化されており、フレームの後半には３つの左チャンネルサンプルと３つの右チャンネルサンプルが多重化されている。
【０００７】
また、前半の６つのサンプル及び後半の６つのサンプルにおけるエラーを訂正するために、例えばクロスインタリーブリードソロモンコード（以下、ＣＩＲＣという。）等のエラー訂正コードがそれぞれ用いられている。このようなフレームが９８個集まってオーディオデータの１ブロックが構成されている。
【０００８】
各フレームの同期制御データは、ビットＰ、Ｑ、Ｒ、Ｓ、Ｔ、Ｕ、Ｖ、Ｗからなり、これらのビットは、チャンネルとも呼ばれる。ビットＱ、すなわちチャンネルＱは、１ブロック内の１番目のフレーム及び２番目の２フレームに用いられ、ブロックの開始を示す。すなわち、新たなデータブロックの開始位置を示す。現在、この同期制御データにおいては、ビットＱ、すなわちチャンネルＱのみが使用されており、他のビット、すなわち他のチャンネルは使用されていない。
【０００９】
【発明が解決しようとする課題】
記録媒体において、オーディオデータのブロックにテキストシンボルを挿入し、オーディオデータの再生と共に、そのテキストシンボルを表示する方法は、未だ提案されていない。
【００１０】
そこで、本発明の目的は、記録ディスクに記録されているオーディオデータに関連したテキストシンボルを表示するテキスト表示方法及び装置を提供することである。
【００１１】
また、本発明の目的は、表示用のテキスト情報と再生用のオーディオ情報の両方を記録ディスクに記録する方法を提供することである。
【００１２】
さらに、本発明の目的は、オーディオ情報が記録された記録ディスクとは異なる記録媒体にテキスト情報を記録する方法を提供することである。
【００１３】
また、本発明の目的は、ＣＤフォーマット又はＭＤフォーマットのカラオケディスクを提供し、さらに、そのカラオケディスクを既存のＣＤ再生装置又はＭＤ再生装置で再生するとともに、テキスト情報を表示する方法を提供することである。
【００１４】
【課題を解決するための手段】
上述の目的を達成するために、本発明に係るテキスト表示方法は、記録ディスクに記録され、再生可能なオーディオデータに関連するテキストシンボルを表示するテキスト表示方法において、複数のテキストシンボルからなるフレーズを表し、各テキストシンボルをフレーズ内の少なくとも最初のテキストシンボル、中間のテキストシンボル、最後のテキストシンボル、テキストシンボル間のスペースの内の１つとして示す開始／終了ビットと、開始／終了ビットに続き、それぞれのテキストシンボルを表示のために特定するシンボル特定ビットとを含むテキストキャラクタをダウンロードするステップと、ダウンロードされたテキストキャラクタの開始／終了ビット及びシンボル特定ビットに基づいて、テキストシンボルのフレーズを組み立てるステップと、組み立てられたテキストシンボルのフレーズを表示するステップとを有する。
【００１５】
また、本発明に係るテキスト表示装置は、記録ディスクに記録され、再生可能なオーディオデータに関連するテキストシンボルを表示するテキスト表示装置において、複数のテキストシンボルからなるフレーズを表し、各テキストシンボルをフレーズ内の少なくとも最初のテキストシンボル、中間のテキストシンボル、最後のテキストシンボル、テキストシンボル間のスペースの内の１つとして示す開始／終了ビットと、開始／終了ビットに続き、それぞれのテキストシンボルを表示のために特定するシンボル特定ビットとを含むテキストキャラクタを再生する再生手段と、再生されたテキストキャラクタの開始／終了ビット及びシンボル特定ビットに基づいて、テキストシンボルのフレーズを組み立てる組立手段と、組み立てられたテキストシンボルのフレーズを表示する表示手段とを備える。
【００１６】
上述のテキストキャラクタは、一実施の形態においては、オーディオデータが記録された記録ディスクに記録しておくことができ、また、他の実施の形態においては、異なる記録媒体に記録しておくことができる。例えば、オーディオデータをＣＤに記録し、テキストキャラクタを別のＣＤに記録しておき、又はメモリカートリッジに記憶しておくことができる。
【００１７】
これにより、オーディオデータを再生しながら、再生中のオーディオデータに関連するテキストが表示手段に表示される。
【００１８】
なお、この明細書を通して、「オーディオデータ」という用語は、オーディオＣＤに記録されたオーディオ情報のみではなく、ＣＤ−ＲＯＭに記録されたオーディオ情報及び／又はグラフィックス情報を含むものとする。すなわち、説明の便宜上、オーディオデータを例に説明するが、本発明は、オーディオ情報及び／又はグラフィックス情報に関連付けられたテキストデータの表示を行うこともできる。
【００１９】
【発明の実施の形態】
以下、本発明に係るテキスト表示方法及びテキスト表示装置について図面を参照して詳細に説明する。
【００２０】
以下では、コンパクトディスク（以下、ＣＤという。）又はミニディスク（登録商標、以下、ＭＤという。）に記録されたフレーム単位のデータ構造を用いて本発明を説明する。
【００２１】
このデータ構造は、図１に示すように、フレームの開始を示すフレーム同期データＳＹＮＣと、それに続く同期制御データＣと、それに続いて交互に格納された左チャンネル及び右チャンネルのオーディオデータＬ、Ｒとから構成されている。片チャンネルのオーディオデータは、図１に示すＬ１、Ｌ２あるいはＲ１、Ｒ２等のそれぞれ８ビットバイトからなる２つのサンプルからなり、３つの左チャンネルサンプルと３つの右チャンネルサンプルがフレームの前半において多重化されており、フレームの後半には３つの左チャンネルサンプルと３つの右チャンネルサンプルが多重化されている。
【００２２】
また、前半の６つのサンプル及び後半の６つのサンプルにおけるエラーを訂正するために、例えばクロスインタリーブリードソロモンコード（以下、ＣＩＲＣという。）等のエラー訂正コードがそれぞれ用いられている。このようなフレームが９８個集まってオーディオデータの１ブロックが構成されている。
【００２３】
各フレームの同期制御データＣは、ビットＰ、Ｑ、Ｒ、Ｓ、Ｔ、Ｕ、Ｖ、Ｗからなり、これらのビットは、チャンネルとも呼ばれる。ビットＱ、すなわちチャンネルＱは、１ブロック内の１番目のフレーム及び２番目のフレームに用いられ、ブロックの開始を示す。すなわち、新たなデータブロックの開始位置を示す。
【００２４】
このフレームは、例えば図２に示すように、ＣＤ又はＭＤ等の円盤状の記録媒体２０の螺旋状のトラックに連続して記録されている。図１に示すようなオーディオフレームは、９８個で１ブロックを構成し、また、図２に示すように、オーディオフレーム＃１は、セグメント２１に記録されており、オーディオフレーム＃２は、セグメント２２に記録されている。同様に、オーディオフレーム＃３、＃４、＃５は、それぞれセグメント２３、２４、２５に記録されている。図面を簡略化するために、図２には、５つのオーディオフレームのみを示している。
【００２５】
図２に示す実施の形態では、オーディオデータのフレームを含むブロックに挿入されたテキストキャラクタは、セグメント２６に記録されている。このテキストキャラクタが記録されたフレームをオーディオフレームと区別するためにテキストキャラクタフレームと呼ぶ。
【００２６】
テキストキャラクタフレームは、図３に示すように、図１に示すオーディオフレームと同じフォーマットを有している。すなわち、テキストキャラクタフレームは、オーディオフレームと同様に、５８８ビットのデータによって構成され、フレーム同期データＳＹＮＣと、同期制御データＣと、エラー訂正コードＣＩＲＣとを有している。ただし、テキストキャラクタフレームは、オーディオフレームが有しているような左チャンネルのオーディオデータ及び右チャンネルのオーディオデータを有しておらず、テキストキャラクタフレームにおいては、例えば２バイトの左チャンネルオーディオサンプルＬに代えて２バイトのテキストデータが格納されている。
【００２７】
すなわち、図１に示す１番目の左チャンネルオーディオサンプルを構成するバイトＬ１及びバイトＬ２に代えて、図３に示すテキストキャラクタフレームには、キャラクタ＃１及びキャラクタ＃２が格納される。同様に、図１に示す第１の右チャンネルオーディオサンプルを構成するバイトＲ１及びバイトＲ２に代えて、図３に示すテキストキャラクタフレームには、キャラクタ＃３及びキャラクタ＃４が格納される。
【００２８】
図１及び図３からも明らかなように、左チャンネルオーディオサンプル及び右チャンネルオーディオサンプルをテキストキャラクタに置き換えることにより、オーディオフレームと同じサイズのフレームに２４個のテキストキャラクタを格納することができる。換言すれば、図２に示す記録媒体２０のセグメント２６に記録されたテキストキャラクタフレーム＃１は、図１に示すオーディオフレームと同じフォーマットを有している。
【００２９】
このように、テキストキャラクタフレームの構造をオーディオフレームの構造と同一のものとすることにより、ＣＤ又はＭＤに記録されたテキストキャラクタフレームに格納されているテキストキャラクタを再生又はダウンロードするために、ＣＤ又はＭＤからオーディオデータを再生するために通常用いられているピックアップ又は処理回路を変更する必要がない。
【００３０】
この実施の形態では、テキストキャラクタフレームとオーディオフレームを区別するために、テキストキャラクタフレームのフレーム同期データＳＹＮＣには、オーディオデータのフレーム同期データＳＹＮＣに格納される内容とは異なる内容を格納している。通常、フレーム同期データＳＹＮＣは、検出を容易にするためにデータの周波数が比較的低いバイナリパターンで構成されており、この周波数の低いバイナリパターンを変更することにより、テキストキャラクタフレームとオーディオフレームを区別することができる。
【００３１】
例えば、オーディオフレームを示すパターンを８つの連続する１とそれに続く８つの連続する０とし、テキストキャラクタフレームを示すパターンを６つの連続する１と６つの連続する０により示すようにすればよい。もちろん、周波数の低いその他のパターンを用いてもよい。
【００３２】
この実施の形態では、１つのテキストキャラクタフレームに２４個の８ビットテキストキャラクタが格納されている。エラー訂正コードＣＩＲＣは、１２個のテキストキャラクタデータにおけるエラーを訂正するために用いられ、そのため、２４個のテキストキャラクタデータは、それぞれ１２個のテキストキャラクタデータを１組として２つに分割され、それぞれの組に対応するエラー訂正コードＣＩＲＣが付されている。
【００３３】
図４は、テキストキャラクタバイトの構造を示す図である。最初の２ビットは、これらのビットを含むテキストキャラクタがフレーズにおける最初のテキストキャラクタであるか、又は最後のテキストキャラクタであるか、あるいは中間のテキストキャラクタであるかを示す開始／終了ビットである。この実施の形態では、幾つかの単語からなるテキストの行を「フレーズ」と呼ぶ。
【００３４】
１つのフレーズを構成する単語に含まれるキャラクタの平均数は、約４０個である。また、「キャラクタ」とは、例えばａｂｃ・・・といった文字や、単語間のスペースである。本発明をカラオケに適用する場合、１つのフレーズは、全ての文字と単語間のスペースを合わせても通常４０個以内である。例えば「Ｏｈ  ｔｈｅ  ｓｈａｒｋ  ｈａｓ・・・」といったフレーズは、４個の単語と３個のスペースを含み、１６個のキャラクタによって構成されている。各文字及びスペースは、テキストシンボルと呼ばれ、図４に示すテキストキャラクタバイトにおいて、開始／終了ビットに続く６個のシンボル特定ビットは、テキストキャラクタによって表される特定のテキストシンボルを識別するデータである。
【００３５】
上述した具体例においては、図４に示すテキストキャラクタの開始／終了ビットは、このテキストシンボルがフレーズの最初のテキストシンボルであることを示し、シンボル特定ビットは、このテキストシンボルが文字「Ｏ」であることを示す。例えば、フレーズの最初を示す開始／終了ビットを「０１」とし、シンボル特定ビットにはＡＳＣＩＩコードを用いることができる。
【００３６】
さらに、上述した具体例においては、文字「Ｏ」に続く文字は、「ｈ」であり、この「ｈ」を示すテキストキャラクタの開始／終了ビットには、テキストシンボルが中間のものであることを示す「００」が格納され、シンボル特定ビットには、「ｈ」に対応するＡＳＣＩＩコードが格納される。
【００３７】
次のテキストキャラクタは、「Ｏｈ」と「ｔｈｅ」の間のスペースであり、この場合、開始／終了ビットには、このテキストシンボルが単語と単語の間のスペースであることを示す「１１」が格納され、シンボル特定ビットには、スペースに対応するＡＳＣＩＩコードが格納される。
【００３８】
次のテキストキャラクタの開始／終了ビットには、テキストシンボルが中間のものであることを示す「００」が格納され、シンボル特定ビットには、文字「ｔ」を示すＡＳＣＩＩコードが格納される。これ以後の中間のテキストキャラクタの構造については、上述の説明から明らかであるので、その説明を省略する。最後のテキストキャラクタの開始／終了ビットには、このテキストシンボルがフレーズの最後であることを示す「１０」が格納され、シンボル特定ビットには、テキストシンボルが「ｓ」であることを示すＡＳＣＩＩコードが格納される。
【００３９】
上述の実施の形態では、シンボル特定ビットにＡＳＣＩＩコードを用いているが、さらに好ましくは、シンボル特定ビットとしてＡＳＣＩＩコードを用いる代わりに、表示できる全ての文字をリードオンリメモリ（以下、ＲＯＭという。）に予め記憶しておき、シンボル特定ビットが各文字のＲＯＭにおけるアドレスを示すようにしてもよい。このような方法を用いることにより、６ビットのシンボル特定ビットによってＲＯＭ内の６４個のアドレスを識別することができ、すなわち、ＲＯＭに６４個のテキストシンボルを記憶しておき、ＲＯＭからそのテキストシンボルを読み出して表示することができる。６４個のテキストシンボルにより、カラオケのテキストのみならず、例えばＣＤ−ＲＯＭ等の記録媒体に記録されたデータの情報を示すことができる。
【００４０】
上述のように、各フレーズは、通常、４０個以下のテキストシンボルから構成される。さらに、通常、１つの曲を構成するフレーズは、４０個以下である。ここで、あるカラオケデータにおいて、１フレーズが４０個のテキストシンボルで構成され、１曲が４０個のフレーズで構成されているとすると、図２に示す記録媒体２０に記録される複数のテキストキャラクタフレーム内に、合計１６００個のテキストキャラクタを格納する必要がある。
【００４１】
上述のように、１つのテキストキャラクタフレームは、２４個のテキストキャラクタが格納されるので、記録媒体２０には、その曲に対しては、６７個のテキストキャラクタフレームを記録すればよい。好ましくは、この６７個のテキストキャラクタフレームは、その曲に含まれるオーディオフレームの間に均等な間隔で挿入される。
【００４２】
図２では、５つのオーディオフレームに対して１つのテキストキャラクタフレーム＃１が挿入されており、このようにして、トラック全体に亘ってオーディオフレームの間にテキストキャラクタフレームが挿入される。もちろん、テキストキャラクタフレームをオーディオフレームの間に挿入する間隔は、図２に示すものに限定されない。
【００４３】
このように、テキストキャラクタフレームを複数のオーディオフレームの間に挿入することにより、記録媒体２０に記録された曲を再生するとともに、曲の一部に合わせて、その部分に対応したテキストキャラクタを表示することができる。
【００４４】
このようにして、あるフレーズをユーザが歌う直前に、そのフレーズの歌詞が表示される。換言すると、テキストキャラクタフレームをオーディオフレームの間に適切に挿入することにより、オーディオデータ再生時において、あるオーディオデータが再生される直前に、そのオーディオデータに対応したテキストデータが表示される。
【００４５】
１つのフレーズに含まれる全てのテキストシンボルは、同時に表示されることが望ましい。上述のように、開始／終了ビットによりフレーズの開始位置と終了位置が特定されるので、フレーズ全体を同時に表示することができる。上述の具体例では、１つのフレーズは、最大で４０個のテキストシンボルから構成される。ＬＥＤ表示装置、液晶表示装置、ビデオモニタ装置等の一般的な表示装置は、通常、１列に４０個以上のテキストシンボルを表示することができる。
【００４６】
ここで、表示装置が一度に表示できる情報に制限があって、１フレーズ、例えば４０個のテキストシンボルを同時に表示することができない場合、開始／終了ビットの特定の内容を用いて、その表示装置を制御すればよい。例えば、１フレーズが４０個のテキストシンボルで構成され、表示装置が一度に２０個のテキストシンボルしか表示できない場合、表示装置は、まずフレーズの前半のテキストシンボルであるサブフレーズを表示するとともに、フレーズ内の開始／終了ビットに基づいて、表示すべきテキストシンボルがまだあることを判定し、例えば３秒〜５秒間その前半のサブフレーズを表示した後、次の後半の２０個のテキストシンボルからなるサブフレーズを表示するようにすればよい。
【００４７】
ここで、テキストシンボルを表示する再生装置について、図５に示すブロック図を参照して説明する。ここで再生される記録媒体は、図２に示す記録媒体２０のように、各セグメントにオーディオデータ及びテキストデータが既に記録されているＣＤである。この再生装置は、図５に示すように、コントローラ４０と、ＲＯＭ４１と、ＲＡＭ４２と、ディスプレイ４３とを備える。
【００４８】
コントローラ４０は、一般的なコンパクトディスク再生装置に備えられているコントローラと略同様のものであるが、本発明を実現するためにコントローラ用のプログラムに修正を加えている。この修正の方法は、以下の説明から明らかである。
【００４９】
記録媒体２０から読み出された信号は、コントローラ４０に入力され、コントローラ４０は、オーディオフレーム及びテキストキャラクタフレームの各フレーム同期データＳＹＮＣに格納されている情報に基づいて、読み出されたフレームがオーディオフレームであるか、テキストキャラクタフレームであるかを判別する。
【００５０】
このフレーム同期データＳＹＮＣがテキストキャラクタフレームを示している場合、コントローラ４０は、そのフレーム内の各テキストキャラクタを分析する。すなわち、コントローラ４０は、連続するテキストキャラクタ内に含まれるシンボル特定ビットにより、ＲＯＭ４１内のアドレスを特定し、そこから対応するテキストシンボルを読み出す。
【００５１】
各テキストシンボルは、ＲＡＭ４２に供給され、ＲＡＭ４２は、このテキストシンボルを記録媒体２０から読み出された順序で一時的に記憶する。このようにして、ＲＡＭ４２内に一連のテキストシンボルからなるフレーズが記憶される。フレーズ内の最初のテキストシンボルは、開始／終了ビット「０１」によって示されている。また、コントローラ４０は、開始／終了ビット「１０」、すなわちフレーズの終了を検出すると、アセンブル制御信号をＲＡＭ４２に供給し、ＲＡＭ４２に一時的に記憶されている一連のテキストシンボルをディスプレイ４３に出力する。すなわち、１フレーズ分のテキストシンボルが組み立てられてディスプレイ４３に表示され、ユーザに提供される。
【００５２】
このようにして、ＣＤがコンパクトディスク再生装置によって再生されるとともに、ＣＤにテキストキャラクタフレームとして記録されている一連のテキストキャラクタがＣＤからコントローラ４０を介してＲＡＭ４２にダウンロードされ、１フレーズ分のテキストシンボルが組み立てられる。このようなテキストシンボルの組立は、ＣＤの再生と共に行われ、１フレーズ分のテキストシンボルが組み立てられると、このフレーズは、ディスプレイ４３に出力され、これにより、ユーザは、ＣＤから再生中の曲の歌詞を確認しながら歌うことができる。
【００５３】
上述の実施の形態では、テキストキャラクタフレームは、一連のオーディオフレームの間に適切に挿入されており、オーディオデータが再生されるとともに、所定のテキストが表示される。このようにして、オーディオデータに対応するテキストデータがリアルタイムで表示される。テキストキャラクタフレームは、対応するオーディオデータのブロックよりも先に再生される位置に記録しておく方が望ましい。これにより、曲の一部の再生が開始される前に、その部分に対応するテキストが表示される。
【００５４】
上述の説明では、テキストキャラクタフレームとオーディオフレームとの区別は、フレーム同期データＳＹＮＣのデータパターンに基づいて行っているが、この区別に同期制御データＣの内容を用いることもできる。上述のように、同期制御データＣは、ビットＰ、Ｑ、Ｒ、Ｓ、Ｔ、Ｕ、Ｖ、Ｗから構成されているが、現在のところ、ビットＱ以外は用いられておらず、すなわち、ビットＱ以外のビットには特定の用途は定められていない。したがって、テキストキャラクタフレームとオーディオフレームとを区別するフラグとしてビットＱ以外のビットを用いてもよい。
【００５５】
例えば、ビットＲが０のときは、そのフレームがオーディオフレームであることを示し、ビットＲが１のときは、そのフレームがテキストキャラクタフレームであることを示す等とすればよい。もちろん、同期制御データＣ中のこれ以外のビットをこの目的に用いてもよい。
【００５６】
さらに、上述の実施の形態では、テキストキャラクタフレームの構造にオーディオフレームの構造を適用しており、１個のテキストキャラクタフレームには、最大で２４個のテキストシンボルが格納される。また、この実施の形態では、テキストキャラクタフレームに格納されている全ての情報を用いて１フレーズ分のテキストシンボルを表示するために、テキストキャラクタフレームとオーディオフレームを区別する必要があったが、以下に説明する他の実施の形態においては、ブロックを構成する複数のオーディオフレームの同期制御データＣにテキストシンボルを格納する。
【００５７】
この実施の形態を図６（ａ）〜（ｃ）に示す。図６（ａ）に示すオーディオフレームの構造は、図１に示すオーディオフレームの構造と全く同じものであるが、図６（ａ）に示す同期制御データＣの内容は、図１に示すオーディオフレームの同期制御データＣの内容とは異なるものである。この実施の形態の同期制御データＣの構造を図６（ｂ）及び図６（ｃ）に示す。図６（ｂ）は、１ブロック内の複数のオーディオフレームに格納された同期制御データＣを示し、図６（ｃ）は、同期制御データＣの構成を示す。
【００５８】
上述したように、同期制御データＣは、ビットＰ〜Ｗによって構成され、現在のところ、一般的なコンパクトディスク再生装置は、ビットＱのみを特定の目的、すなわちオーディオフレームのブロックの開始位置の検出に用いている。そのため、本発明では、このビットＱは、使用しない。すなわち、ビットＰ、Ｒ、Ｓ、Ｔ、Ｕ、Ｖ、Ｗが利用可能である。しかしながら、ビットＱは、１ブロック内のオーディオフレーム＃１及び＃２において用いられているので、コンパクトディスク再生装置の通常の動作処理との混乱を避けるために、オーディオフレーム＃１及び＃２のビットＰ、Ｒ、Ｓ、Ｔ、Ｕ、Ｖ、Ｗは、使用しない方がよい。
【００５９】
図６（ｂ）に示すハッチング部分は、テキストシンボルを表示する目的では、オーディオフレーム＃１及び＃２の同期制御データＣを使用しないことを示している。すなわち、この実施の形態では、オーディオフレーム＃３〜＃９８の同期制御データＣを用いてテキストシンボルを表示する。
【００６０】
このように、９８個のフレームの内の９６個のフレームの同期制御データＣをテキストの表示のために用いることにより、１ブロック分のオーディオフレームに、９６個のキャラクタを格納することができる。上述したように、１つのフレーズは、通常、最大で４０個のキャラクタから構成されているので、１ブロック分のオーディオフレームは、１フレーズ分のキャラクタを格納するのに十分な容量を有している。
【００６１】
この実施の形態では、ビットＰとビットＲを上述した開始／終了ビットとして用いる。すなわち、ビットＰとビットＲの組合せ「０１」は、フレーズの最初のテキストキャラクタを示し、組合せ「１０」は、フレーズの最後のテキストキャラクタを示し、組合せ「００」は、中間のテキストキャラクタを示し、組合せ「１１」は、単語と単語の間のスペースを示すものとする。そして、ビットＳ、Ｔ、Ｕ、Ｖ、Ｗを上述のシンボル特定ビットとして用いる。
【００６２】
ＲＯＭに適切なテキストシンボルを予め記憶しておき、これらのビットＳ、Ｔ、Ｕ、Ｖ、Ｗを用いてそのＲＯＭ内のアドレスを指定すると、これらの５ビットのビットＳ、Ｔ、Ｕ、Ｖ、Ｗによって３２個のアドレスを指定することができる。すなわち、この実施の形態では、３２個の異なるキャラクタを表示することが可能であり、これは、カラオケ用に英語の歌詞を表示する場合、全てのアルファベットとスペース及び必要な記号を表示するのに十分な値である。
【００６３】
同期制御データＣにテキストキャラクタとして格納されたテキストシンボルを検出し、表示する再生装置を図７を用いて説明する。ここに示す再生装置は、通常のコンパクトディスク再生装置に、同期制御データ検出器７０と、ＲＯＭ７２と、ＲＡＭ７３と、ディスプレイ７４とを追加して構成されたものである。また、この再生装置は、通常のコンパクトディスク再生装置に備えられているコントローラと同様のコントローラ７１を備え、コントローラ７１は、本発明を実現するためにプログラミングされている。このコントローラ７１としては、市販されている通常のマイクロプロセッサを用いることができる。
【００６４】
記録媒体からオーディオデータを再生すると、オーディオフレーム内のデータは同期制御データ検出器７０に供給され、同期制御データ検出器７０は、各オーディオフレーム内の同期制御データＣを検出する。この実施の形態においては、同期制御データ検出器７０は、オーディオフレーム＃１及び＃２の同期制御データＣを無視し、オーディオフレーム＃３〜＃９８の同期制御データＣを検出してコントローラ７１に供給する。
【００６５】
コントローラ７１は、このオーディオフレーム＃３〜＃９８の同期制御データＣにおけるビットＳ、Ｔ、Ｕ、Ｖ、ＷによりＲＯＭ７２内のアドレスを特定し、そのアドレスに記憶されているテキストシンボルデータを読み出す。読み出されたテキストシンボルデータはＲＡＭ７３に供給され、このＲＡＭ７３において、１フレーズ分のテキストシンボルが組み立てられる。
【００６６】
開始／終了ビットＰ、Ｒが１０を示すと、すなわちフレーズの最後に到達すると、コントローラ７１は、このフレーズの最後のテキストシンボルをＲＡＭ７３に記憶した後に、ＲＡＭ７３に読出信号を供給し、組み立てられたフレーズをＲＡＭ７３からディスプレイ７４に出力する。
【００６７】
このように、ＲＯＭ７２に予め記憶されているテキストシンボルは、一時的にＲＡＭ７３に記憶され、このＲＡＭ７３において複数のテキストシンボルからなるフレーズが組み立てられて、ディスプレイ７４に組み立てられたフレーズが表示される。
【００６８】
ここで用いる方法は、実質的に図５に示す実施の形態と同様のものであるが、図７に示す実施の形態では、テキストキャラクタは、オーディオフレームの同期制御データＣに格納されており、図５に示す実施の形態では、オーディフレームとテキストキャラクタフレームを識別する必要があったが、この実施の形態では、その必要がない。
【００６９】
上述の２つの実施の形態では、テキストキャラクタデータとオーディオデータとを同一の記録媒体に記録している。この記録媒体は、通常のコンパクトディスク再生装置、すなわち上述のテキストシンボルを検出して表示する機能を有さないコンパクトディスク再生装置でも再生することができる。すなわち、本発明を用いて、オーディオデータとテキストデータを記録したＣＤを、従来のコンパクトディスク再生装置によって再生すると、テキストデータは表示されないが、オーディオデータは問題なく再生される。
【００７０】
もちろん、既存のコンパクトディスク再生装置のコントローラを上述した方法に適合するように改良して、テキストキャラクタを検出し、それに基づいて、テキストシンボルのフレーズを組み立てるようにすれば、本発明の利点をユーザに提供することができる。すなわち、オーディオデータに対応するテキストシンボルを表示することができる。
【００７１】
さらに、本発明を適用した別の実施の形態では、オーディオデータを記録した記録媒体とは異なる記録媒体にテキスト情報を記録する。その一実施の形態において、記録媒体として、従来のディスク再生装置でも再生できる特別なコンパクトディスク（ＣＤ）又はミニディスク（ＭＤ）を用い、ディスク再生装置のコントローラに変更を加えて、その特別なディスクに記録されたテキスト情報を検出し、表示できるようにする。さらに別の実施の形態においては、テキストキャラクタが記憶されたメモリ回路基板を備えるメモリカートリッジを異なる記録媒体として用いる。
【００７２】
図８（ａ）は、例えば図３に示すフォーマットでテキストデータを記録した特別なＣＤ８０（以下、この特別なＣＤをテキストＣＤ呼び、通常のＣＤをオーディオＣＤと呼ぶ。）からテキストデータを再生する再生装置のデータ読出部のブロック図である。このテキストＣＤ８０には、テキストデータが記録されており、オーディオデータは記録されていない。また、テキストＣＤ８０には、テキストキャラクタフレームからなる複数のブロックに加えてテーブルオブコンテンツ（以下、ＴＯＣという。）データが記録されており、このＴＯＣデータは、各テキストキャラクタフレームがテキストＣＤ８０上のどこに記録されているかを示すデータである。例えば、カラオケに使用する場合、テキストＣＤ８０には、多数の曲の歌詞がテキストキャラクタフレームとして記録されており、各曲とそれぞれに対応する歌詞とが関連付けられている。テキストＣＤ８０に記録されているＴＯＣデータは、各曲に関連付けられた歌詞の最初のテキストキャラクタフレームを特定する。例えば、テキストＣＤ８０に８曲分の歌詞が記録されている場合、ＴＯＣデータは、曲＃１〜曲＃８のそれぞれの歌詞の開始位置を特定する。
【００７３】
読出部８１は、テキストＣＤ８０に記録されている情報を読み出し、この読み出した情報を、ＴＯＣセクション８２ａと、テキストセクション８２ｂとを有する電気的にプログラム可能なリードオンリメモリ（ＥＰＲＯＭ）８２にロードする。このようにして、テキストＣＤ８０から読み出されたＴＯＣデータは、ＴＯＣセクション８２ａに記憶され、図４に示す構造を有するテキストキャラクタは、テキストセクション８２ｂに記憶される。
【００７４】
すなわち、図８（ａ）に示すように、ＴＯＣデータ８３は、ＥＰＲＯＭ８２のＴＯＣセクション８２ａに記憶され、曲＃１〜曲＃８の各歌詞の開始位置を示すテキストセクション８２ｂ内のアドレスを特定する。ＥＰＲＯＭ８２のテキストセクション８２ｂは、テキストデータ８４、すなわち曲＃１〜曲＃８の全ての歌詞を記憶する。これらの歌詞は、図４に示すデータ構造を有するテキストキャラクタとして表されるものである。
【００７５】
テキストキャラクタが一旦ＥＰＲＯＭ８２にロードされると、テキストＣＤ８０に予め記録されていた歌詞に対応する曲が記録されているオーディオＣＤからオーディオデータを再生するときに、このテキストキャラクタをＥＰＲＯＭ８２から読み出して、表示することができる。オーディオＣＤとそれに対応するテキストＣＤを２枚組のアルバムとして販売してもよく、あるいは、オーディオＣＤとテキストＣＤとを別々に販売し、それぞれに対応するテキストＣＤ又はオーディオＣＤに関する情報をユーザに提供するようにしてもよい。
【００７６】
図８（ｂ）は、図８（ａ）に示すテキストＣＤ８０からテキストキャラクタをダウンロードした再生装置と同じ再生装置を用いて、オーディオＣＤ８６を再生する場合の動作を説明する図である。ここに説明するカラオケ機能を実現するために、このオーディオＣＤ８６には、ＴＯＣアドレスデータとフレーズ切換信号が記録されている。この記録されているＴＯＣアドレスデータは、従来のオーディオＣＤに通常に記録されているＴＯＣデータと同様なものであってもよい。このような通常のＴＯＣアドレスデータを用いて、オーディオＣＤ８６に記録されているＴＯＣデータを特定できるとともに、ＥＰＲＯＭ８２の歌詞のＴＯＣデータが記憶されているＴＯＣセクション８２ａのアドレスを指定することができる。すなわち、オーディオＣＤ８６のＴＯＣデータから最初の曲のアドレスを指定すると、ＴＯＣセクション８２ａ内の曲＃１のアドレスが指定される。
【００７７】
同様に、ユーザがオーディオＣＤ８６から４番目の曲を再生する操作を行うと、オーディオＣＤ８６内の４番目の曲のアドレスを指定するＴＯＣアドレスデータを用いて、ＥＰＲＯＭ８２のＴＯＣセクション８２ａ内の曲＃４のアドレスも指定される。すなわち、オーディオＣＤ８６の再生中、読出部８１は、オーディオＣＤ８６からオーディオデータに加えてＴＯＣアドレスデータを読み出す。このとき、ＴＯＣアドレスデータは、オーディオＣＤ８６において曲＃４が記録されているアドレスだけではなく、ＥＰＲＯＭ８２のＴＯＣセクション８２ａ内のアドレスも指定し、そこから読み出されたデータによりテキストセクション８２ｂ内において曲＃４の歌詞の最初のテキストキャラクタが記憶されている位置が特定される。
【００７８】
この最初のテキストキャラクタ及びそれに続く一連のテキストキャラクタは、テキストセクション８２ｂから読み出されて、ＲＡＭ８７にロードされる。そして、１フレーズ分のテキストシンボルがＲＡＭ８７内で組み立てられ、フレーズ切換信号がオーディオＣＤ８６から読み出されると、この組み立てられたテキストシンボルからなるフレーズがディスプレイ８８に出力され、次のフレーズのテキストシンボルがテキストセクション８２ｂからＲＡＭ８７にロードされて組み立てられる。
【００７９】
このように、オーディオＣＤの再生動作が進むに従って、ＲＡＭ８７内においてテキストシンボルが１フレーズ毎に順次組み立てられ、組み立てられたフレーズは、適切なタイミングでディスプレイ８８に出力される。これにより、ユーザは、オーディオＣＤを再生しながら、再生中の曲の歌詞を確認することができ、再生されるオーディオを伴奏として歌を楽しむことができる。
【００８０】
ユーザがオーディオＣＤ８６に記録されている他の曲を再生しようとする場合、その曲の開始位置を特定するＴＯＣデータは、対応するテキストＣＤ８０から予めダウンロードされた歌詞の開始位置をＥＰＲＯＭ８２のＴＯＣセクション８２ａにおいて特定する。この歌詞は、図４に示すテキストキャラクタとしてテキストセクション８２ｂに記憶されており、この曲の再生が進むに従って、この曲の歌詞のフレーズを示すテキストシンボルがテキストセクション８２ｂからＲＡＭ８７にロードされて一時的に記憶されるとともに、フレーズを構成するように組み立てられ、組み立てられたフレーズが適切なタイミングでディスプレイ８８に出力される。
【００８１】
このように、図８（ｂ）に示すＥＰＲＯＭ８２のテキストセクション８２ｂ、ＲＡＭ８７及びディスプレイ８８の機能は、実質的には、図５に示すＲＯＭ４１、ＲＡＭ４２及びディスプレイ４３の機能に等しいものである。
【００８２】
テキストＣＤ８０に記録されているデータのデータ量がＥＰＲＯＭ８２の容量を超える場合は、周知のデータ圧縮技術を用いてテキストキャラクタデータを圧縮し、ＥＰＲＯＭ８２の容量に適合させればよい。
【００８３】
上述の実施の形態では、オーディオＣＤ８６から通常の方法で再生されたＴＯＣアドレスデータを用いてＥＰＲＯＭ８２のＴＯＣセクション８２ａ内でアドレス指定を行い、そこから得られたデータにより歌詞が記憶されているテキストセクション８２ｂにおける対応する歌詞の開始位置を特定して、そこから読出を行うが、これに代えて、オーディオＣＤ８６から所望の曲の再生が開始されたときに、オーディオＣＤ８６に記録されている同期制御データＣ内のビットＰ、Ｒ、Ｓ、Ｔ、Ｕ、Ｖ、Ｗ等の未使用のビットの内の１つ以上のビットをＴＯＣアドレスデータとして用いて、ＴＯＣセクション８２ａにおけるアドレス指定を行うようにしてもよい。
【００８４】
さらに、ＴＯＣセクション８２ａに、テキストセクション８２ｂ内の対応する曲の歌詞の開始位置に加えて、他の情報を記憶するようにしてもよい。例えば、ＴＯＣセクション８２ａに、テキストセクション８２ｂに記憶される曲のブロック毎の最初のフレームのアドレスを記憶するようにしてもよい。
【００８５】
上述の実施の形態では、テキストＣＤ８０からテキストキャラクタをＥＰＲＯＭ８２にロードし、対応するオーディオＣＤ８６に記録されている曲に合わせてこのテキストキャラクタを表示していたが、変形の実施の形態では、ディスク再生装置にメモリカートリッジ用のスロットを設け、メモリカートリッジにテキストキャラクタを記憶する。
【００８６】
この場合、メモリカートリッジは、ＥＰＲＯＭ８２を内蔵し、このＥＰＲＯＭ８２のＴＯＣセクション８２ａにＴＯＣアドレスデータを予め記憶しておき、テキストセクション８２ｂにテキストキャラクタを予め記憶しておく。このため、テキストＣＤ８０等からテキストキャラクタをテキストセクション８２ｂにダウンロードする必要がない。この場合、オーディオＣＤと共に対応するデータが記憶されたメモリカートリッジを販売あるいは配布すればよい。ユーザがカラオケ機能を実行する場合、ユーザは、ディスク再生装置にオーディオＣＤをセットすると同時に、対応するメモリカートリッジを同じディスク再生装置のスロットに挿入すればよい。
【００８７】
この場合も、ＥＰＲＯＭ８２に記憶されているテキストキャラクタは、図８（ｃ）に示すように、ＲＡＭ８７内で組み立てられて、適切なタイミングでディスプレイ８８に出力される。
【００８８】
本発明を好ましい実施の形態を用いて説明した。ここで説明した実施の形態の細部を変更することは当業者にとって容易であるが、そのような変更は、本発明の主旨を逸脱するものではない。すなわち、本発明の技術的範囲は、説明した実施の形態によって限定されるものではなく、特許請求の範囲に基づいて解釈されるべきものである。
【００８９】
【発明の効果】
以上のように、本発明に係るテキスト表示方法及びテキスト表示装置は、記録ディスクに記録され、再生可能なオーディオデータに関連するテキストシンボルを表示する際に、複数のテキストシンボルからなるフレーズを表し、各テキストシンボルをフレーズ内の少なくとも最初のテキストシンボル、中間のテキストシンボル、最後のテキストシンボル、テキストシンボル間のスペースの内の１つとして示す開始／終了ビットと、開始／終了ビットに続き、それぞれのテキストシンボルを表示のために特定するシンボル特定ビットとを含むテキストキャラクタをダウンロードし、ダウンロードされたテキストキャラクタの開始／終了ビット及びシンボル特定ビットに基づいて、テキストシンボルのフレーズを組み立てて、テキストシンボルのフレーズを表示する。
【００９０】
これにより、記録媒体に記録されたデータを再生しながら、再生中のデータに関連するテキストを表示して、ユーザに提供することができる。また、本発明により、ＣＤフォーマットあるいはＭＤフォーマットのカラオケディスクを提供することができ、記録されたオーディオデータを再生しながら、各フレーズに対応する歌詞を、適切なタイミングで表示することができる。
【図面の簡単な説明】
【図１】  コンパクトディスク、ミニディスク等に記録されるオーディオデータのフレームの構造を示す図である。
【図２】  オーディオデータ及びテキストキャラクタデータが記録された記録ディスクを示す図である。
【図３】  コンパクトディスクにオーディオデータと共に記録されたテキストキャラクタデータのフレームの構造を示す図である。
【図４】  テキストキャラクタデータの構造を示す図である。
【図５】  テキストキャラクタをダウンロードし、フレーズを表示する再生装置のブロック図である。
【図６】  オーディオブロックの同期制御データにテキストキャラクタを格納する方法を説明する図である。
【図７】  テキストキャラクタをダウンロードし、フレーズを表示する再生装置の他の実施の形態を示す図である。
【図８】  異なるディスクに記録されたテキストキャラクタとオーディオデータを同時に再生する再生装置のブロック図である。
【符号の説明】
４０  コントローラ、４１  ＲＯＭ、４２  ＲＡＭ、４３  ディスプレイ
【図１】
0003838605.tif 000002
【図２】
0003838605.tif 000003
【図３】
0003838605.tif 000004
【図４】
0003838605.tif 000005
【図５】
0003838605.tif 000006
【図６】
0003838605.tif 000007
【図７】
0003838605.tif 000008
【図８】
0003838605.tif 000009